(57)【要約】キーパッドセキュリティ装置（１００）は、ビューイング開孔（１１４）およびアクセス開孔（１５２）を有するエンクロージャを備える。エンクロージャは、キーパッドを少なくとも部分的に囲むことで、ビューイング開孔（１１４）を通してキーパッドを見ることができるとともに、アクセス開孔（１５２）を通してユーザーがキーパッドにアクセス可能である。ビューイング開孔はセキュリティ窓ペイン（１１６）を有し、このセキュリティ窓ペイン（１１６）は、キーパッドのユーザーの視点からキーパッドを明瞭に見ることができるように、かつユーザー以外の者の視点からはキーパッドを見ることができないように構成し、さらに湾曲させ、可撓性の屈折レンズで構成する。
2009531765.tif 000002
【特許請求の範囲】
【請求項１】
ビューイング開孔およびアクセス開孔を有するエンクロージャを備えたキーパッドセキュリティ装置において、前記エンクロージャは、キーパッドを少なくとも部分的に囲むことで、前記ビューイング開孔を通して前記キーパッドを見ることができるとともに、前記アクセス開口部を通してユーザーが前記キーパッドにアクセス可能にし、前記ビューイング開孔は、前記キーパッドのユーザーの視点からは前記キーパッドを明瞭に見ることができるように、かつ前記ユーザー以外の者の視点からは前記キーパッドを見ることができないように構成したセキュリティ窓ペインを有し、このセキュリティ窓ペインは、湾曲させ、かつ可撓性の屈折レンズを有するものとしたことを特徴とするキーパッドセキュリティ装置。
【請求項２】
請求項１に記載のキーパッドセキュリティ装置において、前記セキュリティ窓ペインは前記キーパッドに対して外向きに湾曲させたことを特徴とするキーパッドセキュリティ装置。
【請求項３】
請求項１または請求項２に記載のキーパッドセキュリティ装置において、前記セキュリティ窓ペインを前記エンクロージャに回動可能に取り付けたことを特徴とするキーパッドセキュリティ装置。
【請求項４】
請求項３に記載のキーパッドセキュリティ装置において、前記セキュリティ窓ペインは、この窓ペインが前記キーパッドの上に覆いかぶさる操作位置と、この窓ペインが前記キーパッドの上に覆いかぶさらない非操作位置との間で回動可能にしたことを特徴とするキーパッドセキュリティ装置。
【請求項５】
請求項３または請求項４に記載のキーパッドセキュリティ装置において、前記エンクロージャは、互いに対向する壁を有するベースと、このベースに回動可能に取り付け、かつ前記セキュリティ窓ペインを担持するバイザーとを有することを特徴とするキーパッドセキュリティ装置。
【請求項６】
請求項５に記載のキーパッドセキュリティ装置において、前記バイザーを前記互いに対向する壁のうち少なくとも一方に回動可能に取り付けたことを特徴とするキーパッドセキュリティ装置。
【請求項７】
請求項５または請求項６に記載のキーパッドセキュリティ装置において、前記ビューイング開孔を前記バイザーに設けたことを特徴とするキーパッドセキュリティ装置。
【請求項８】
請求項５〜７のうちいずれか一項に記載のキーパッドセキュリティ装置において、前記セキュリティ窓ペインを着脱可能に前記バイザーに取り付けたことを特徴とするキーパッドセキュリティ装置。
【請求項９】
請求項８に記載のキーパッドセキュリティ装置において、前記セキュリティ窓ペインを着脱可能に前記バイザーのスロットに取り付けたことを特徴とするキーパッドセキュリティ装置。
【請求項１０】
請求項８に記載のキーパッドセキュリティ装置において、スロットを前記バイザーとこのバイザーに取り付けた部材との間に画定したことを特徴とするキーパッドセキュリティ装置。
【請求項１１】
請求項５〜１０のうちいずれか一項に記載のキーパッドセキュリティ装置において、前記ベースを、キーパッドを有する本体を収容しかつ保持するように構成したことを特徴とするキーパッドセキュリティ装置。
【請求項１２】
請求項１１に記載のキーパッドセキュリティ装置において、前記ベースは着脱可能なシートを有し、このシートは、キーパッドを有する本体を収容かつ保持するように構成したことを特徴とするキーパッドセキュリティ装置。
【請求項１３】
前述の請求項のうちいずれか一項に記載のキーパッドセキュリティ装置において、前記セキュリティ窓ペインの曲率半径を１００ｍｍ〜５００ｍｍの範囲における値としたことを特徴とするキーパッドセキュリティ装置。
【請求項１４】
請求項１３に記載のキーパッドセキュリティ装置において、前記曲率半径を１００ｍｍ〜２００ｍｍの範囲における値としたことを特徴とするキーパッドセキュリティ装置。
【請求項１５】
請求項１４に記載のキーパッドセキュリティ装置において、前記曲率半径を１１０ｍｍ〜１５０ｍｍの範囲における値としたことを特徴とするキーパッドセキュリティ装置。
【請求項１６】
前述の請求項のうちいずれか一項に記載のキーパッドセキュリティ装置において、前記レンズを、フレネルレンズとしたことを特徴とするキーパッドセキュリティ装置。
【請求項１７】
請求項１６に記載のキーパッドセキュリティ装置において、前記フレネルレンズの溝のピッチは０．０１ｍｍ〜０．０６ｍｍの範囲における値とたことを特徴とするキーパッドセキュリティ装置。
【請求項１８】
請求項１７に記載のキーパッドセキュリティ装置において、前記フレネルレンズの前記溝のピッチは０．０２ｍｍ〜０．０５ｍｍの範囲における値としたことを特徴とするキーパッドセキュリティ装置。
【請求項１９】
請求項１８に記載のキーパッドセキュリティ装置において、前記フレネルレンズの前記溝のピッチは約０．０４ｍｍとしたことを特徴とするキーパッドセキュリティ装置。
【請求項２０】
前述の請求項のうちいずれか一項に記載のキーパッドセキュリティ装置において、前記レンズの厚さを０．４ｍｍ〜１．５ｍｍの範囲の値としたことを特徴とするキーパッドセキュリティ装置。
【請求項２１】
請求項２０に記載のキーパッドセキュリティ装置において、前記レンズの厚さを約１ｍｍとしたことを特徴とするキーパッドセキュリティ装置。
【請求項２２】
請求項１〜２１のうちいずれか一項に記載のキーパッドセキュリティ装置において、前記レンズは１．３〜１．８の範囲における屈折率を有することを特徴とするキーパッドセキュリティ装置。
【請求項２３】
請求項２２に記載のキーパッドセキュリティ装置において、前記レンズは１．４〜１．７の範囲における屈折率を有することを特徴とするキーパッドセキュリティ装置。
【発明の詳細な説明】
【技術分野】
【０００１】
本発明は、データ入力キーパッドのセキュリティに関するものであり、具体的には、ＡＴＭ（Automated Teller Machine：現金自動預払機）、小売店のチップおよびＰＩＮ（Personal Identification Number：個人識別番号）、ＥＰＯＳ（Electronic Point Of Sale：電子決済販売時点情報管理）システム、およびＰＥＤ（PIN Entry Device：ＰＩＮ入力装置）に装着するデータ入力用のキーパッドのセキュリティに関するものであるが、これらに限定するものではない。
【背景技術】
【０００２】
近年、キャッシュカードの不正使用によるＡＴＭからの現金引き出しに関連した犯罪が増加している。このような犯罪を行うには、犯罪者は通常、キャッシュカードの正当なユーザーに関する詳細な情報とともに、そのカードの有効化に必要なＰＩＮを得る必要がある。
【発明の開示】
【発明が解決しようとする課題】
【０００３】
ＰＩＮは、正当なユーザーがＡＴＭを使用しているときに、複数の方法で得ることができる。犯罪者は、単純にユーザーの傍に立って、ユーザーがＰＩＮを入力しているのを観察することができ、この行為を一般にショルダーサーフィンと呼ぶ。ＰＩＮを得るためのより巧妙な方法は、ＡＴＭの近くに、キーパッドを見ることができるカメラを配置する方法である。小売業環境で増加しつつある販売時点情報管理用のＰＩＮ入力装置でも、同様のセキュリティ上の問題が存在している。
【課題を解決するための手段】
【０００４】
本発明によれば、ビューイング開孔およびアクセス開孔を有するエンクロージャを備えたキーパッドセキュリティ装置を提供し、エンクロージャは、キーパッドを少なくとも部分的に囲むことで、ビューイング開孔を通してキーパッドを見ることができるとともに、アクセス開孔を通してユーザーがキーパッドにアクセス可能であり、ビューイング開孔は、キーパッドのユーザーの視点からはキーパッドを明瞭に見ることができるよう、かつユーザー以外の者の視点からはキーパッドを見ることができないように構成したセキュリティ窓ペインを有し、セキュリティ窓ペインは屈折レンズを有する。
【０００５】
本発明の他の態様によれば、ビューイング開孔およびアクセス開孔を有するエンクロージャを備えたキーパッドセキュリティ装置を提供し、エンクロージャは、キーパッドを少なくとも部分的に囲むことで、ビューイング開孔を通してキーパッドを見ることができるとともに、アクセス開孔を通してユーザーがキーパッドにアクセス可能であり、ビューイング開孔は、キーパッドのユーザーの視点からはキーパッドを明瞭に見ることができるよう、かつユーザー以外の者の視点からはキーパッドを見ることができないように構成したセキュリティ窓ペインを含み、セキュリティ窓ペインは屈折レンズを含み、セキュリティ窓ペインをキーパッドに対して傾斜させる。
【０００６】
本発明の別の態様によれば、ビューイング開孔およびアクセス開孔を有するエンクロージャを備えたキーパッドセキュリティ装置を提供し、エンクロージャは、キーパッドを少なくとも部分的に囲むことで、ビューイング開孔を通してキーパッドを見ることができるとともに、アクセス開孔を通してユーザーがキーパッドにアクセス可能であり、ビューイング開孔は、キーパッドのユーザーの視点からはキーパッドを明瞭に見ることができるよう、かつユーザー以外の者の視点からはキーパッドを見ることができないように構成したセキュリティ窓ペインを含み、セキュリティ窓ペインは、湾曲させ、かつ可撓性の屈折レンズを有するものとする。
【０００７】
セキュリティ窓ペインを湾曲させることにより、例えば装置の周りまたは上方の光源によるグレアに関連する問題を減少する。セキュリティ窓ペインはキーパッドに対して外向きに湾曲させる。好適な実施形態において、セキュリティ窓ペインをキーパッドに対して横方向に延びる軸線に関して湾曲させる。セキュリティ窓ペインの曲率半径を、１００ｍｍ〜５００ｍｍの範囲における値とすることができる。より詳しくは、曲率半径を１００ｍｍ〜２００ｍｍの範囲における値とすることができる。曲率半径を１１０ｍｍ〜１５０ｍｍの範囲における値とすることもできる。さらに、セキュリティ窓ペインを湾曲させることで、より良好な手のアクセスをユーザーに提供し、ユーザーがセキュリティ窓ペインに指関節を接触させる可能性を減少する。
【発明の効果】
【０００８】
キーパッドのエンクロージャは、キーパッドを遮蔽して、ユーザーによるキー操作が観察されないようにする。セキュリティ窓ペインは、ユーザーに対しては、使用前および使用中の両方でキーパッドを観察できるようにするが、ユーザーの傍に立つ者に対しては、ユーザーによるキー操作を、セキュリティ窓ペインを通して観察できないようにする。セキュリティ窓ペインは、また、ユーザーによるキー操作を、例えばキーパッドの近くでエンクロージャの外側に配置したカメラにより、遠隔的に観察されることを防止する。
【０００９】
セキュリティ窓ペインをビューイング開孔内に配置して、このビューイング開孔を通して視線軸線をキーパッドに到達させる。したがって、視線軸線に沿ってキーパッドを見るよう、自分自身を視線軸線に整列させた者は、キーバッドを明瞭に見ることができる。もし、視線軸線以外の軸線に沿ってセキュリティ窓ペインを通してキーパッドを見ようとすると、セキュリティ窓ペインは、キーパッドを部分的にまたは全体的に、歪ませておよび／または不明瞭にして見せる。視線軸線は、セキュリティ窓ペインにほぼ直交させることができる。視線軸線は、セキュリティ窓ペインおよびキーパッドの双方に対してほぼ直交させることができる。セキュリティ窓ペインは、それに沿ってキーパッドを明確に、且つ歪みなくまたは不明瞭にすることなく見ることができる複数の視線軸線を有することができる。このような複数の軸線は、キーパッドを明瞭に見ることができる視線通路を画定することができる。
【００１０】
一実施形態において、セキュリティ窓ペインは、この窓ペインを通してユーザーがキーパットを見るとき、キーパッドの見え方を使用にあたって変化させるレンズを備えることができる。好適な実施形態において、レンズは拡大レンズとする。レンズは、好ましくは、レンズを見る視線の角度により、レンズを通して見えるものを拡大するまたは歪ませる両方の機能を有する。レンズは、好ましくは、１．３〜１．８の範囲における屈折率を有するものとする。より好ましくは、レンズは、１．４〜１．７の範囲における屈折率を有するものとする。レンズは、１．４５〜１．６５の範囲における屈折率を有するものとすることができる、または１．４７〜１．６１の範囲における屈折率を有するものとすることができる。一実施形態において、レンズは、アクリルで形成し、１．４７〜１．５１の範囲における屈折率を有するものとすることができる。代案として、レンズは、塩化ビニルで形成し、１．５２〜１．５６の範囲における屈折率を有するものとすることができる。別の実施形態では、レンズは、ポリエチレンで形成し、１．４９〜１．５３の範囲における屈折率を有するものとすることができる。また別の実施形態では、レンズは、ポリカーボネートで形成し、１．５７〜１．６１の範囲における屈折率を有することができる。さらにまた別の実施形態において、レンズは、ポリオルガノシロキサン材料で形成し、１．２〜１．８の範囲における屈折率を有するものとすることができる。
【００１１】
レンズは、フレネルレンズ等とすることができる。フレネルレンズという用語は、その表面にテクスチャ加工を施して所望の画像変更特性を実現したレンズを含むものとする。フレネルレンズを、複数の同心溝を１枚の透明材料のシートまたはプレート上に設けることで形成する。レンズの溝のピッチは、０．０１ｍｍ〜０．０６ｍｍの範囲における値とすることができる。溝のピッチは、０．０２ｍｍ〜０．０５ｍｍの範囲における値とすることもできる。好適な実施形態において、レンズの溝は、約０．０４ｍｍのピッチとすることができる。周知のように、溝のピッチはレンズの所望の倍率および透明度に依存する。当然ながら、溝のピッチがより細かくなればなるほど、拡大像はより明瞭になる。一方で、溝のピッチをより粗くすることにより、像の明瞭さを犠牲にしてより大きな倍率を提供する。
【００１２】
テクスチャにより、レンズの形状から得られるレンズの画像変更特性を、向上させるおよび／または補うことができる。セキュリティ窓ペインには、キーパッドの１個または複数個のキーにそれぞれ合わせた複数のレンズを設けることができる。セキュリティ窓ペインは、視線軸線または視線通路の方向からはこの窓ペインを通してキーパッドを見えるようにするが、視線軸線と一致せず、視線通路に含まれない軸線方向から見るときはキーパッドを不明瞭にする画像を含むことができる。画像は、セキュリティ窓ペインの上または中に設けることができる。例えば、画像を、セキュリティ窓ペインの表面にエッチングまたは他の方法で施すことができる。代案として、画像をセキュリティ窓ペイン内に組み込むことができる。このような実施形態において、画像は、ホログラム像にすることができる。
【００１３】
レンズの厚さを、０．４ｍｍ〜５ｍｍの範囲における値とすることができる。レンズに可撓性をもたせるとき、例えばレンズを湾曲させるとき、レンズの厚さを０．４ｍｍ〜１．５ｍｍの範囲における値とすることができる。このような実施形態において、レンズの厚さは、好ましくは、約１ｍｍとすることができる。レンズまたはセキュリティ窓ペインを頑丈にするとき、レンズまたはセキュリティ窓ペインの厚さを約５ｍｍにすることができる。
【００１４】
セキュリティ窓ペインは、プラスチック材料、例えばポリカーボネート、またはガラス質材料、例えばガラスからなる単一部材を含むことができる。セキュリティ窓ペインを層構造にすることができる。このような実施形態において、窓ペインは、レンズを間に挟んだ上側および下側の平面部材を含むことができる。平面部材は、互いと、およびレンズとほぼ同じ形状を有することができる。エンクロージャを製造する過程で窓ペインをそれに組み込むことができる、例えば、プラスチック材料からエンクロージャを成形する過程で窓ペインをエンクロージャに組み込むことができる。代案として、セキュリティ窓ペインは、エンクロージャから着脱可能にすることができる。窓ペインは、したがって、例えば損傷を受けたまたは傷ついた場合に、交換することができる。
【００１５】
エンクロージャは、キーパッドを少なくとも部分的に囲むように構成した壁を含むことができる。エンクロージャは、代案として、キーパッドを少なくとも部分的に囲むように構成した複数枚の壁を有することができる。アクセス開孔を、壁または複数枚の壁の１枚に設けた開孔により画定することができる。代案として、アクセス開孔は、２枚の壁の間に設けた隙間または空間により画定することができる。この壁または各壁には、エンクロージャに光が入るように構成し、かつそれを通してキーパッドを見えないようにしたウインドウを設けることができる。このウインドウは好ましくは、半透明の、つや消しされた、不透明の、または他の方法で処理した、光沢のある窓ペインを含み、その窓ペインを通してキーパッドを見えないようにする。この壁または各壁は、キーパッドを取り付けたまたは載置したベースの壁にすることができる。このような場合、セキュリティ窓ペインを、この壁または各壁に取り付け可能な部材の中に含むことができる。
【００１６】
エンクロージャは、追加のアクセス開孔を設けることができる。使用にあたって、この追加のアクセス開孔を、キーパッドを装着する装置の形態に適合させることができる。例えば、追加のアクセス開孔を、ＡＴＭの紙幣預払スロットに合わせることができる。追加のアクセス開孔の存在により、ユーザーがエンクロージャを通して紙幣預払スロットにアクセスすることが可能になる。したがって、エンクロージャは、紙幣預払スロットから払い出された紙幣への不正なアクセスを阻止する遮蔽機能を、預払スロットに提供できることはいうまでもない。好ましくは、ユーザーがエンクロージャを通して容易にアクセスできるように、追加のアクセス開孔を、キーパッドのアクセス開孔と反対側のエンクロージャの部分に設ける。
【００１７】
ビューイング開孔を好ましくは、壁または複数枚の壁の上に覆いかぶさるエンクロージャの一部に設ける。好ましくは、ビューイング開孔を、キーパッドの平面にほぼ平行な平面に適合させる。
【００１８】
本発明の別の態様により、ビューイング開孔およびアクセス開孔を有するエンクロージャを備えたキーパッドセキュリティ装置を提供し、エンクロージャは、キーパッドを少なくとも部分的に囲むことで、ビューイング開孔を通してキーパッドを見ることができるとともに、アクセス開孔を通してユーザーがキーパッドにアクセス可能であり、ビューイング開孔は、キーパッドのユーザーの視点からはキーパッドを明瞭に見ることができるよう、かつユーザー以外の者の視点からはキーパッドを見ることができないように構成したセキュリティ窓ペインを含み、セキュリティ窓ペインは屈折レンズを含み、セキュリティ窓ペインをエンクロージャに回動可能に取り付ける。
【００１９】
このような実施形態において、セキュリティ窓ペインは、窓ペインがキーパッドの上に覆いかぶさる操作位置と、窓ペインがキーパッドの上に覆いかぶさらない非操作位置との間で回動可能にすることができる。セキュリティ窓ペインは、エンクロージャに回動可能に取り付けたバイザーにより担持することができる。好ましくは、バイザーは、セキュリティ窓ペインに対して湾曲した指向性を付与するように構成する。
【００２０】
セキュリティ窓ペインを湾曲させることにより、例えば装置の周りまたは上の光源によるグレアに関連する問題は減少する。窓ペインはキーパッドに対して外向きに湾曲する。好適な実施形態において、窓ペインはキーパッドに対して横向き方向にある軸線に関して湾曲する。セキュリティ窓ペインの曲率半径を、１００ｍｍ〜５００ｍｍの範囲における値とすることができる。より詳しくは、曲率半径を１００ｍｍ〜２００ｍｍの範囲における値とすることができる。曲率半径を１１０ｍｍ〜１５０ｍｍの範囲における値とすることもできる。さらに、セキュリティ窓ペインを湾曲させることで、より良好な手のアクセスをユーザーに提供し、ユーザーがセキュリティ窓ペインに指関節を接触する可能性を減少する。
【００２１】
添付の図面につき、本発明の実施例を説明する。
【実施例】
【００２２】
まず、図１〜５につき説明すると、本発明によるセキュリティエンクロージャ装置を示し、全体的に参照符号１０で示す。エンクロージャ装置１０は、ＡＴＭのキーパッドに使用するよう構成する。エンクロージャ装置１０は、互いに離れた１対の側壁１２をブリッジ部１４により結合したエンクロージャを有する。ブリッジ部１４内にはビューイング開孔１６を設け、このビューイング開孔１６にはセキュリティ窓ペイン（図示せず）を保持することができる。側壁１２およびブリッジ部１４は、エンクロージャ装置をキーパッドの上方に装着したときにユーザーが手を入れることができるアクセス開孔１８を画定する。エンクロージャ装置１０は、強化プラスチック材料で成形加工により一体成形品として製造することができる。代案として、エンクロージャ装置１０を、アルミニウム合金等の金属で鋳造工程により製造することができる。セキュリティ窓ペインを、その成形中にエンクロージャに組み込むことができる。代案として、セキュリティ窓ペインを、製造した後にエンクロージャに後付けすることができる。
【００２３】
エンクロージャ装置１０には、さらに、複数個の互いに離れた孔２０をビューイング開孔１６の周りに設ける。孔２０は、エンクロージャ装置１０に囲まれた空間に光を採り入れるとともに、キーパッドがこれらの穴を通して直接見えないようにする。各孔２０は、エンクロージャ１０内部に突出する壁または筒状延長部２１により少なくとも部分的に画定し、孔を通してＡＴＭキーパッドが見えないようにする。
【００２４】
壁１２およびブリッジ部１４は、第１の開孔１８に対してエンクロージャ装置１０の反対の側に、他の追加のアクセス開孔２２を画定することは分かるであろう。ある構成ＡＴＭの形態では、紙幣を払い出すスロットをキーパッドの前方かつやや上方に配置する。このような構成において、ユーザーは、自身のＰＩＮをキーパッドに入力した手と同じ手で、払い出された紙幣を取ることができる。追加のアクセス開孔２２を設けることにより、エンクロージャ装置１０全体で紙幣を払い出すスロットを遮ったまま、ユーザーが紙幣にアクセスすることを可能にし、これにより、ＡＴＭのユーザー以外の者に紙幣を奪われることを防止できる。
【００２５】
エンクロージャ装置１０を半透明のプラスチック材料で成形して、それを通じてある程度の光を透過させると同時に、ビューイング開孔１６を囲む壁１２およびブリッジ部１４を通してキーパッドが見えないようにすることができる。プラスチック材料の半透明性により、ＡＴＭのユーザーまたはオペレータは、もし小型カメラ等がエンクロージャの内表面に取り付けられていたら、それを容易に発見できる。エンクロージャの内表面に、さらにテクスチャ加工を施して、小型カメラ等の装置の取り付けを困難にすることができる。例えば、エンクロージャの内表面を波状にする、または内表面にうねを付けることができる。
【００２６】
エンクロージャ装置１０を、任意の適切な固定手段によりＡＴＭに取り付けることができる。図示の実施形態において、各側壁１２の下縁２４に、対応するＡＴＭの開口部を通る突起２６を設ける。突起２６にネジ山をつけて、そこにナットを受けることができる。代案として、各壁１２の下側端縁２４にフランジを設け、このフランジに適切な固定手段が貫通させることができる。
【００２７】
図５は、取付用のフレーム２８を示し、このフレーム２８は、エンクロージャ装置１０に装着可能であり、ビューイング開孔１６におけるセキュリティ窓ペインを保持する。フレーム２８は、ビューイング開孔１６の形状にほぼ一致する。フレーム２８に複数の凸部３０を設け、これらはエンクロージャ装置１０の中に設けた相補的な凹部３２で受けることができる。フレーム２８には、さらに、それぞれ開孔３６を設けた１対の延長部３４を設ける。フレーム２８をビューイング開孔１６の周りに適切に配置するとき、延長部の開孔３６は、エンクロージャ装置１０の固定具用の開孔３８に整列する。ねじ付き固定具４０を開孔３６，３８に貫通させることにより、フレーム２８を適所に保持するとともに、フレーム２８と、エンクロージャ装置１０内側のビューイング開孔１６の周りに延在するリップ４２との間にセキュリティ窓ペインを保持する。
【００２８】
フレーム２８の存在により、セキュリティ窓ペインが損傷または破損した場合、窓ペインを取り外して交換することが比較的簡単にできるようになる。好適な実施形態においては、ねじ付き固定具のヘッドを非標準の形状にする、つまり、マイナス（ｓｌｏｔ）型、プラス（Ｐｈｉｌｉｐｓ）型または六角形以外の形状にして、フレーム２８およびセキュリティ窓ペインの不正な取り外しを防止する。
【００２９】
ビューイング開孔１６およびセキュリティ窓ペイン４４が、ＡＴＭのキーパッド４６に完全に整列しないように、エンクロージャ装置１０をＡＴＭに取り付けることができる。図６は、ビューイング開孔１６、セキュリティ窓ペイン４４およびキーパッド４６間のこのような配置関係の一実施例を示す。ビューイング開孔１６およびセキュリティ窓ペイン４４の上側端縁４８を、キーパッド４６のキーにおける上側列キー５２の下側端縁５０に整列させる。このように整列させ配置により、ＡＴＭのキーパッド４６のユーザーは、セキュリティ窓ペイン４４を通してキーパッド４６の全体を見ることができるようになるとともに、ユーザーの視点に対応する位置以外の位置から、ユーザーの肩越しにまたは、ＡＴＭの上方もしくは近くに取り付けたカメラから遠隔的にでも、キーパッドを見ようとする者は、セキュリティ窓ペイン４４を通してキーパッド４６の全体を見ることができないようになる。ビューイング開孔１６およびセキュリティ窓ペイン４４を、キーパッド４６に対して破線５４で示すように傾けることができる。図示の実施形態において、ビューイング開孔１６およびセキュリティ窓ペイン４４の角度を約４°、キーパッド４６に対して傾ける。この傾きは、使用にあたってユーザーから最も遠くにあるセキュリティ窓ペイン４４およびビューイング開孔１６の端縁４８が、ユーザーに最も近い端縁より高い位置にあるように傾ける。
【００３０】
ビューイング開孔１６およびセキュリティ窓ペイン４４を、キーパッド４６に対して傾けるまたはオフセットすることができる。代案として、ビューイング開孔１６およびセキュリティ窓ペイン４４の双方を、キーパッド４６に対して傾けるおよびオフセットすることができる。また他の実施形態において、セキュリティ窓ペイン４４のみを、キーパッドに対して傾けることができる。
【００３１】
上述したように、特定の視野位置からはキーパッド４６を明瞭に見ることができる一方で、他の位置からはキーパッドを見ることができないように、セキュリティ窓ペイン４４を構成する。セキュリティ窓ペイン４４は、好ましくは、ユーザーが特定の角度から窓ペイン４４を通して見るときにはキーパッド４６を拡大して見せる一方で、他の角度から見るときにはキーパッドを歪んで見せるレンズを設ける。図７は、キーパッド４６と、本発明によるエンクロージャ装置１０とを有するＡＴＭ５６の概略図である。エンクロージャ装置１０に、例えばフレネルレンズ等の拡大レンズを含むセキュリティ窓ペイン４４を設ける。エンクロージャ装置１０の上方に、ビューイング開孔１６の断面積にほぼ一致する断面積を有する視線通路５８を画定する。通路５８内にありセキュリティ窓ペイン４４およびキーパッド４６に対してほぼ垂直な軸線６０に沿って、セキュリティ窓ペイン４４を通してキーパッド４６を見る者は、図８に示すように、キーパッド全体の拡大像を見ることができる。もし、レンズおよびキーパッドに対して垂直でなく視線通路から逸れて延びる軸線６２に沿って、キーパッドを見ようとすると、キーパッド４６の歪んだ像が示される。観察されうる見え方のいくつかの例を、図９および図１０に示す。図９において、キーパッド４６の、０キーを含む下部が不明瞭になっている一方、図１０において、キーパッド４６の、１キー、２キーおよび３キーを含む上部が不明瞭になっている。
【００３２】
セキュリティ窓ペイン４４の厚さは、例えば約５ｍｍにすることができる。セキュリティ窓ペインはこの厚みのフレネルレンズを備えることができる。他の実施形態において、セキュリティ窓ペイン４４は、適切な補足的な厚みの部材に載置したもしくは取り付けた、またはこの部材により担持した、５ｍｍ未満の厚みを有するフレネルレンズを備えることができる。例えば、レンズを、ほぼ透明な強化プラスチック材料またはほぼ透明な強化ガラス材料に取り付けることができる。他の実施形態において、フレネルレンズを、２個のこのようなガラス部材またはプラスチック部材間に挟み込むことができる。
【００３３】
つぎに図１１〜１４につき説明すると、セキュリティエンクロージャ装置の他の実施形態を示し、全体的に参照符号１００で示す。エンクロージャ装置１００は、図１３に示すタイプの販売時点情報管理用のＰＩＮ入力装置１０２に使用するよう構成する。この装置は、ベース１０４およびバイザー１０６を含む。ベース１０４は、床１０７および２つの直立壁１０８を含む。バイザー１０６は、湾曲したフェース部１１０および互いに離れたアーム１１２を含む。フェース部１１０は、湾曲したセキュリティ窓ペイン１１６を取り付けたビューイング開孔１１４を有する。フェース部１１０およびセキュリティ窓ペイン１１６が湾曲することで、ユーザーにより良好な手のアクセスを提供し、ユーザーの指関節がセキュリティ窓ペインに接触する可能性を減少し、さらに、装置１００の近くの周囲照明により生じうるグレアを減少する。バイザー１０６をベース１０４に対して回動可能に取り付け、また図１４の矢印１１８で示すように、ベース１０４に対して相対移動可能にする。
【００３４】
図示の実施形態において、ベース１０４は、ほぼ平面状の１枚のシート材料、例えば軟鋼から形成し、床１０７と壁１０８との間の境界を折り目部１２０により画定する。床１０７には、使用にあたってＰＩＮ入力装置１０２をベース部１０４に設置するのに用いる複数の折り返したタブ１２２，１２４，１２６を設ける。タブ１２２，１２４，１２６を、床１０７の端縁における折り返し部分、または床１０７の本体から折り出した部分により画定する。タブ１２２，１２４，１２６に保護カバー１２８を設ける。周知のように、他のタブ構造にして、別のＰＩＮ入力装置１０２のサイズおよび形状に適応することができるようにする。床１０７の下側面１３０に回動可能なジョイント１３２を設け、これによりエンクロージャ装置１００を、カウンタ等に設けるポストまたはポール１３４に取り付けることができる。ジョイント１３２により、エンクロージャ装置１００を、図１４の矢印１３６で示すように回動することができる。エンクロージャ装置は、さらに、矢印１３７で示すようにポストまたはポール１３４上で回転可能にする。ジョイント１３２は、ピン装置１４２により互いに連結したブラケット１３８および筒状部材１４０により構成する。
【００３５】
床１０７の下側面１３０には、さらに、ユーザーが操作してエンクロージャ１００を所望の傾き状態に移動することができる、前方に突出するハンドル１４４を設ける。
【００３６】
バイザー１０６のアーム１１２を壁１０８に対する回動可能な取り付けは、アーム１１２および壁１０８をともに貫通するピン留めリンク１４６により行う。アーム１１２は、好ましくは、ベース１０４と同じ材料で製造することができる。フェース部１１０を、アーム１１２と一体に形成することができる。代案として、フェース部１１０を、アーム１１２に取り付けることができる、別個の１つの構成部材または構成部材によるアセンブリにより画定することができる。
【００３７】
セキュリティ窓ペイン１１６を、フェース部１１０とほぼ同程度に湾曲させる。セキュリティ窓ペイン１１６は、所望の湾曲形状に予め形成することができる。他の実施形態において、セキュリティ窓ペイン１１６は、可撓性にし、バイザー１０６の湾曲したトラックまたはスロットに装着する所望の湾曲を、図１４の矢印１４８に示すようにする。窓ペイン１１６は、弾性および可撓性を有し、自然状態では平らな形状とする。窓ペイン１１６を曲げたときに窓ペインが平らな形状に戻ろうとする自然な働きを利用して、バイザー１０６内に窓ペイン１１６を保持することができる。このような実施形態において、セキュリティ窓ペイン１１６は、プラスチック材料、例えばアクリルまたはＰＶＣから製造したフレネルレンズを有し、厚さを約０．４ｍｍにすることができる。この特徴により、セキュリティ窓ペイン１１６を取り外して交換することを比較的簡単にする。セキュリティ窓ペイン１１６を湾曲させてバイザー１０６の湾曲形状に適合させることにより、外的に加えられた力による窓ペイン１１６の変形に対する強度および弾性が向上することを理解されたい。
【００３８】
使用にあたって、バイザー１０６は、図１１および図１３に示す開位置と、図１２および図１４に示す閉位置との間で回動可能である。閉じた位置において、ビューイング開孔１１４およびセキュリティ窓ペイン１１６をＰＩＮ入力装置１０２のキーパッド１５０の上方に覆いかぶせることで、それらを通してユーザーがキーパッド１５０を見ることができる。ユーザーがキーパッド１５０にアクセスすることを可能にするアクセス開孔１５２を、ベース１０４およびバイザー１０６の前方端縁間に画定する。他のアクセス開孔１５４を、ベース１０４およびバイザー１０６の後方端縁間に画定する。この他のアクセス開孔により、ユーザーが自分のＰＩＮをキーパッド１５０に入力する前に、カウンタの店員がＰＩＮ入力装置１０２のスロット１５６にカードを挿入することを可能にする。カードは、例えば、クレジットカードもしくはデビットカードまたはポイントカードとすることができる。壁１０８に、ベース１０４に対するバイザー１０６の前方への移動を制限するストップピン１５８を設ける。
【００３９】
ユーザーは、ビューイング開孔１１４およびセキュリティ窓ペイン１１６を通してキーパッド１５０を見ないように、バイザー１０６を開いた位置に移動することを選択することができる。
【００４０】
つぎに、図１５および図１６につき説明すると、セキュリティエンクロージャ装置の他の実施形態を示し、全体的に参照符号１６０で示す。図１１〜図１４に記載した装置１００と共通の特徴には、同一の参照符号を付して示す。装置１６０は、ベース１０４における直立壁１０８の前方端縁に矢印１６２で示す切欠部を設ける点で異なる。用語「前方」とは、ＰＩＮをＰＩＮ入力装置１０２に入力するユーザーに面する、装置１６０の領域を指す。切欠部１６２を設けることで、ＰＩＮ入力装置１０２の横方向スロット１６４に適応することができ、この横方向スロット１６４は、使用にあたってカード１６６を掃引させることを要求する。任意に、バイザー１０６のアーム１１２を、図１５の破線１６８に示すように前方方向に延在させて、壁１０８から除去した材料と置換することができる。このような実施形態において、バイザー１０６を、後でＰＩＮをＰＩＮ入力装置に入力するために前方へ回動する前に、スロット１６４にアクセスしてカード１６６を掃引することができる位置まで後方に回動することができる。
【００４１】
つぎに、図１７〜図２４につき説明すると、セキュリティエンクロージャ装置の他の実施形態を示し、全体的に参照符号１７０で示す。図１１〜図１４に記載した装置１００ならびに、図１５および図１６に記載した装置１６０と共通の特徴には、同一参照符号を付して示し、装置１７０は、先に記載したのと同様に動作可能である。
【００４２】
バイザー１０６は、湾曲したフェース部１１０および互いに離れたアーム１１２を有する。フェース部１１０は、湾曲したセキュリティ窓ペイン１１６を取り付けるビューイング開孔１１４を有する。ビューイング開孔１１４の周りに、湾曲した外側ベゼル１７２および湾曲した内側ベゼル１７４を設ける。外側ベゼル１７２は、バイザー１０６に着脱可能であり、ビューイング開孔１１４を囲むフェース部１１０の窪み１７６に収容することができる。外側ベゼル１７２を用いることで、所定の小売業者または金融サービス提供者に基づいて、装置１７０にブランド付けすることができる。外側ベゼル１７２の突起と、フェース部１１０の窪み１７６に設けた対応するスロットまたは孔１７８とを相互係合させることにより、外側ベゼル１７２をバイザー１０６に保持することができる。
【００４３】
内側ベゼル１７４は、バイザー１０６のフェース部１１０の湾曲した内面に取り付け可能にする。内側ベゼル１７４の湾曲した側壁１８０に、フック付きタブ１８２を設け、これらフック付きタブ１８２はバイザー１０６の対応するスロットまたは開孔１８４に収容することができる。内側ベゼル１７４にさらに、内側ベゼル１７４の端壁１９０から突出する停止突起１８６およびガイド突起１８８を設ける。端壁１９０は、内側ベゼル１７４の湾曲した側壁１８０間に延在する。内側ベゼル１７４をバイザー１０６に装着するとき、停止突起１８６およびガイド突起１８８は、バイザー１０６のフェース部１１０の内面に休止し、セキュリティ窓ペイン１１６を挿入することができる湾曲したガイド１９２を、内側ベゼル１７４とバイザー１０６のフェース部１１０の内面との間に画定する。セキュリティ窓ペイン１１６は、湾曲したガイド１９２から、ガイド突起１８８間に設けた開口１９４を通して、挿入および取り外しができる。停止突起１８６は、セキュリティ窓ペイン１１６を挿入することができる距離を制限して、その適正位置決めを確実にするよう作用する。
【００４４】
バイザー１０６のフェース部１１０には、さらに、バイザー１０６を回動させるときに、ユーザーがつかむことができる上および下グリップ部１９６を設ける。バイザー１０６ならびに、内側および外側ベゼル１７２，１７４は、プラスチック材料から射出成形加工により有利に製造することができる。
【００４５】
ベース１０４は、床１０７および２個の直立壁１０８を有する。床１０７は、装置１７０のユーザーの方向に突出する延長部１９８を有する。延長部１９８は、図１１〜図１４のエンクロージャ装置１００におけるハンドル１４４と同様に利用して、取付ポール１３４に対するベース１０４の傾きを変更することができる。各直立壁１０８の内面２００に前方および後方停止突起２０２，２０４を設け、これらは、使用にあたって、バイザー１０６のアーム１１２に接触することにより、ベース１０４に対するバイザー１０６の回動運動を制限する。
【００４６】
ベース１０４には、さらに、ＰＩＮ入力装置１０２を載置することができる着脱可能なシートまたはプレート２０４を設ける。着脱可能なプレート２０４を使用することで、標準構成のベース１０４が、別のＰＩＮ入力装置に利用できる別のプレートにより、別のＰＩＮ入力装置１０２に適合させることができる。ベース１０４の床１０７の後方端縁２０６に取り付け可能なクリップをプレートの下側面に設けることにより、プレート２０４をベースに対して着脱可能に固定することができる。プレート２０４は床２０８および対向する壁２１０を有し、対向する壁２１０間にＰＩＮ入力装置１０２を配置するよう構成する。ベース１０４およびプレート２０４を、プラスチック材料から成形加工により製造することができる。
【００４７】
図１１〜図２４に記載した装置１００，１６０，１７０の湾曲したセキュリティ窓ペイン１１６は、図１〜図１０に記載した装置１０で説明したセキュリティ窓ペイン１６と同様に作用して、不正に見る人のキーパッドの見え方を歪ませることを理解されたい。
【００４８】
セキュリティ窓ペインは、レンズ形状以外の形状にすることができる。例えば、窓ペインは、さらに、その中にまたはその上に画像を保持することができ、窓ペインを通してキーパッドをユーザーが見ることができるが、キーパッドの正当なユーザーが利用するとき以外の視角からのキーパッドに対する視界を妨げる。例えば、セキュリティ窓ペインは、装置の正当なユーザーに対しては隠れているホログラム像を含むことができる。別の実施形態において、セキュリティ窓ペインは、キーパッドのキーに合わせた複数のウインドウを含むことができる。各ウインドウは、レンズ、残像または２つの組合せを含むことができる。レンズを任意に、着色、彩色、つや消しするおよび／または偏光して、レンズを通してキーパッドを不正に見られることを防止することができる。
【図面の簡単な説明】
【００４９】
【図１】本発明によるセキュリティエンクロージャ装置の上方かつ一方の側方から見た斜視図である。
【図２】図１の装置の側面図である。
【図３】図１の装置の平面図である。
【図４】図１の装置の背面図である。
【図５】レンズキャリアを取り外した状態の、図１の装置の下方かつ一方の側方から見た斜視図である。
【図６】図１の装置におけるセキュリティ窓ペインの、キーパッドに対する配置関係を示す側面図を示す。
【図７】装置のセキュリティ窓ペインを通したキーパッドの見え方を示す。
【図８】装置のセキュリティ窓ペインを通したキーパッドの見え方を示す。
【図９】装置のセキュリティ窓ペインを通したキーパッドの見え方を示す。
【図１０】装置のセキュリティ窓ペインを通したキーパッドの見え方を示す。
【図１１】本発明による他のセキュリティエンクロージャ装置における装置のバイザーを後退させた状態の、上方かつ一方の側方から見た斜視図である。
【図１２】バイザーを展開した状態の、図１１の装置の斜視図である。
【図１３】キーパッドを取り付けた状態の、図１１の装置における別の斜視図である。
【図１４】図１１の装置の側面図である。
【図１５】本発明によるさらに他のセキュリティエンクロージャ装置における上方かつ一方の側方から見た側面図である。
【図１６】図１５のセキュリティエンクロージャ装置の斜視図である。
【図１７】装置の遮光板を展開した状態の、本発明によるさらにまた別のセキュリティエンクロージャ装置の上方かつ一方の側方から見た斜視図である。
【図１８】図１７に示すセキュリティエンクロージャ装置における、ＰＥＤユニットを適所に配置するとともにバイザーを後退させた状態の、上方かつ一方の側方から見た斜視図である。
【図１９】図１７に示すセキュリティエンクロージャ装置における、内側および外側のベゼルまたはレンズを装着してない状態の、バイザーの斜視図である。
【図２０】図１７に示すセキュリティエンクロージャ装置におけるバイザーの内側ベゼルの斜視図である。
【図２１】内側ベゼルを装着した図１７に示すセキュリティエンクロージャ装置のバイザーの斜視図である。
【図２２】図１７に示すセキュリティエンクロージャ装置の、ベース、ＰＥＤユニットプレートおよび取付ポストの正面かつ上方から見た斜視図である。
【図２３】図１７に示すセキュリティエンクロージャ装置のＰＥＤユニットプレートの正面かつ上方から見た斜視図である。
【図２４】図１７に示すセキュリティエンクロージャ装置のベースの正面かつ上方から見た斜視図である。
【図１】
2009531765.tif 000003
【図２】
2009531765.tif 000004
【図３】
2009531765.tif 000005
【図４】
2009531765.tif 000006
【図５】
2009531765.tif 000007
【図６】
2009531765.tif 000008
【図７】
2009531765.tif 000009
【図８】
2009531765.tif 000010
【図９】
2009531765.tif 000011
【図１０】
2009531765.tif 000012
【図１１】
2009531765.tif 000013
【図１２】
2009531765.tif 000014
【図１３】
2009531765.tif 000015
【図１４】
2009531765.tif 000016
【図１５】
2009531765.tif 000017
【図１６】
2009531765.tif 000018
【図１７】
2009531765.tif 000019
【図１８】
2009531765.tif 000020
【図１９】
2009531765.tif 000021
【図２０】
2009531765.tif 000022
【図２１】
2009531765.tif 000023
【図２２】
2009531765.tif 000024
【図２３】
2009531765.tif 000025
【図２４】
2009531765.tif 000026
【国際調査報告】
2009531765.tif 000027
2009531765.tif 000028